(57)【要約】【課題】  狭い場所であっても容易に設置できて、かつ、説明内容をわかりやすく見せて理解を得やすくし、観者の注意を惹きつけて効果的に画像や図表を表示する。【解決手段】  プレゼンテーション装置１は、画像投影手段１２と反射鏡１３が内装されたキャビネット１１の上部にスクリーン１４が立設されて、キャビネット１１内から反射鏡１３を介してスクリーン１４に画像を投影する。キャビネット１１の上面部には前記画像に関連する図表を三次元で示すための三次元表示部１１３が設けられており、この三次元表示部１１３には複数の表示プレート２が配設され、前記図表を表現しうる。表示プレート２は、三次元表示部１１３に設けられたプレート設置凹部１１４に対して着脱自在であり、図表中のグラフ曲線を示すライン表示プレート２１と、図表中のオブジェクトを示すオブジェクトプレート２２とを含む。【選択図】  図３
2007199367.tif 000002
【特許請求の範囲】
【請求項１】
画像投影手段と反射鏡が内装されたキャビネットの上部にスクリーンが立設されて、前記キャビネット内から反射鏡を介してスクリーンに画像を投影するプレゼンテーション装置であって、
キャビネットの上面部には前記画像に関連する図表を三次元で示すための三次元表示部が設けられており、この三次元表示部には複数の表示プレートが配設されて、前記図表を表現しうることを特徴とするプレゼンテーション装置。
【請求項２】
表示プレートは、透明または半透明の合成樹脂製プレートであることを特徴とする請求項１に記載のプレゼンテーション装置。
【請求項３】
表示プレートは、三次元表示部に設けられたプレート設置凹部に対して着脱自在に形成されて、表示する図表に応じて適宜交換可能とされたことを特徴とする請求項１または請求項２に記載のプレゼンテーション装置。
【請求項４】
表示プレートは、図表中のグラフ曲線を示すライン表示プレートと、図表中のオブジェクトを示すオブジェクトプレートとを含むことを特徴とする請求項１〜請求項３のいずれかに記載のプレゼンテーション装置。
【請求項５】
キャビネット内には表示用光源が備えられて、プレート設置凹部を通して各表示プレートをライトアップ表示可能とされたことを特徴とする請求項１〜請求項４のいずれかに記載のプレゼンテーション装置。
【発明の詳細な説明】
【技術分野】
【０００１】
本発明は、画像や図表を表示するためのプレゼンテーション装置に関する。
【背景技術】
【０００２】
商品や企画プロジェクト等の特徴などを観者にわかりやすく説明するために、その内容をスクリーンに投影した映像や図表により見せることが多い。このような場合には、通常、大がかりなビデオモニターを設置したり、投影用のスクリーンを設置して、このスクリーンから離れたところにプロジェクタを別途個別に設置したりしなければならず、設置に手間がかかって不便なものであった。また、別途プロジェクタを設置する場合には、そのプロジェクタを載置するための架台が必要になるうえ、プロジェクタを画面から所定距離だけ離して設置しなければならないといった制約があるので、ある程度広い場所でなければ採用できない方法であった。
【０００３】
このような問題点に対し、プロジェクタがキャビネットの内部に備えられて、反射鏡を介して映像をスクリーンに投射するように構成されたものも提案されている。例えば特許文献１には、ベースと、映像光の投写のための光学系と、前記光学系から投写された映像光の光経路状でベースにより支持され、光学系から投写された映像光を背面投写のために結像し、前面投写のために透過させるスクリーンとを含む構成のプロジェクションディスプレイ装置の技術が記載されている。
【特許文献１】特開平１１−７２８４３号公報
【発明の開示】
【発明が解決しようとする課題】
【０００４】
上記のようなディスプレイ装置は、設置の煩わしさやコストアップの問題点を解消しうるものであるが、単に映像や図表を見せるだけでは、観者の理解を得ることは難しいのが実情である。例えば、展示会や発表会、会議などで多数の観者に対して、その説明内容をわかりやすく見せて理解を得たり、観者の注意を惹きつけて効果的に表示したりするには、上記従来例のようなディスプレイ装置を用いるだけでは足りず、さらに見せ方に工夫する必要があった。
【０００５】
そこで本発明は、上記のような問題点にかんがみてなされたものであり、狭い場所であっても容易に設置できて、かつ、説明内容をわかりやすく見せて理解を得やすくし、観者の注意を惹きつけて効果的に画像や図表を表示することのできるプレゼンテーション装置を提供しようとするものである。
【課題を解決するための手段】
【０００６】
上記した目的を達成するため、本発明は、画像投影手段と反射鏡が内装されたキャビネットの上部にスクリーンが立設されて、前記キャビネット内から反射鏡を介してスクリーンに画像を投影するプレゼンテーション装置であって、キャビネットの上面部には前記画像に関連する図表を三次元で示すための三次元表示部が設けられており、この三次元表示部には複数の表示プレートが配設されて、前記図表を表現しうることを特徴としている。
【０００７】
前記構成において、表示プレートは透明または半透明の合成樹脂製プレートであることが好ましい。
【０００８】
また本発明は、前記構成において、表示プレートが三次元表示部に設けられたプレート設置凹部に対して着脱自在に形成されて、表示する図表に応じて適宜交換可能とされたことを特徴としている。
【０００９】
ここで、前記表示プレートは、図表中のグラフ曲線を示すライン表示プレートと、図表中のオブジェクトを示すオブジェクトプレートとを含むことを特徴とする。
【００１０】
さらに本発明では、前記構成において、キャビネット内には表示用光源が備えられて、プレート設置凹部を通して各表示プレートをライトアップ表示可能とされたことを特徴としている。
【００１１】
上記構成により、画像や図表などを用いて説明を行う際に、設置に場所をとらず、狭いスペースであって使用することができて、利便性の良いものとすることができる。さらに、スクリーンでは画像を表示し、同時に三次元表示部では図表を立体的に表すことができるので、観者の注意を惹きつけ、説明すべき内容をわかりやすく見せて、理解を得るために大いに役立てることができる。また、表示プレートを表示用光源によりライトアップすれば、ただ単に図表が三次元で示されるだけではなく、その光によって浮き上がらせて見せることができるので、観者の目に留まりやすく、効果的に説明を進めることが可能となる。
【発明の効果】
【００１２】
上述のように構成される本発明のプレゼンテーション装置によれば、狭い場所であっても容易に設置できて、かつ、説明内容をわかりやすく見せて理解を得やすくし、観者の注意を惹きつけて効果的に画像や図表を表示することができる。さらに、表示プレートを表示用光源によりライトアップすれば、ただ単に図表が三次元で示されるだけではなく、その光によって浮き上がらせて見せることができるので、観者の目に留まりやすく、効果的に説明を進めることが可能となる。
【発明を実施するための最良の形態】
【００１３】
以下、本発明に係るプレゼンテーション装置を実施するための最良の形態について、図面を参照しつつ説明する。
【００１４】
図１〜図４は本発明のプレゼンテーション装置の一例を示し、図１はプレゼンテーション装置の斜視図、図２は正面図、図３は側面図、図４はプレゼンテーション装置の三次元表示部１１３において示す図表の一例を示している。
【００１５】
例示の形態に係るプレゼンテーション装置１は、キャビネット１１内に画像投影手段としてのプロジェクタ１２と反射鏡１３が内装され、このキャビネット１１の上部にスクリーン１４が支柱１５に支持されて立設されている。このスクリーン１４には、キャビネット１１内のプロジェクタ１２から反射鏡１３を介して背面側に投写され、キャビネット１１の投写口１１２を通して画像がスクリーン１４に投影されるように構成されている。かかるキャビネット１１には、底面側に複数のキャスタ１１１が取り付けられて、自在に移動させられるようになっている。
【００１６】
キャビネット１１の上面部には前記画像に関連する図表を、複数枚の表示プレート２を使用して三次元で示すための三次元表示部１１３が設けられている。
【００１７】
ここでいう図表は、図４に例示するような三次元の図表が想定されている。図表には、ｘ−ｙ軸にグラフを表示し、ｘ軸およびｚ軸方向にオブジェクトを表示して三次元で表されている。また、かかる図表は、例えば（１）年齢による身体機能の変化、（２）年齢による平均的な身体的特徴、（３）年代ごとに経験しうる、けが、障害、車椅子使用、眼鏡使用、聴力低下等の身体的変化、（４）各年代でみられる身長および体型的特徴の差異、などの項目をｘ軸、ｙ軸およびｚ軸に表して、商品コンセプト等の説明内容を顧客にわかりやすくプレゼンテーションするのに用いることができる。
【００１８】
表示プレート２は、透明または半透明のアクリル樹脂等の合成樹脂系材料からなるプレート材であり、図表中のグラフ曲線を示すライン表示プレート２１と、図表中のオブジェクトを示すオブジェクトプレート２２とを備えている。例えば、ライン表示プレート２１は三次元表示部１１３の幅方向（ｘ軸方向）に配設されて、プレート内にグラフラインが記されている。また、オブジェクトプレート２２には、図示するように様々な年齢層の身体的特徴を示した人物が描かれており、三次元表示部１１３の幅方向（ｘ軸方向）および奥行き方向（ｚ軸方向）にそれぞれ配設される。
【００１９】
また、キャビネット１１の三次元表示部１１３には、これらの複数枚の表示プレート２の下端部をそれぞれ嵌め込んで配設しうるプレート設置凹部１１４が設けられている。プレート設置凹部１１４は、ライン表示プレート２１、およびオブジェクトプレート２２の厚さを許容しうる大きさのスリットとしてキャビネット１１の上面部に複数形成されている。したがって、これらの表示プレート２１，２２は、三次元表示部１１３のプレート設置凹部１１４に適宜嵌め込んだり取り外したりすることが可能であり、表示する図表に応じて着脱して交換することができるようになっている。
【００２０】
また、キャビネット１１には、これらのプレート設置凹部１１４の下部となる位置に、図示しない適宜の表示用光源が内装されている。表示用光源を操作部１１５により操作し、プレート設置凹部１１４を通して各表示プレート２１，２２を下端部側から照射することにより、表示プレート２１，２２の下端部を光が透過し、各表示プレート２１，２２がライトアップさせて表示されるように構成されている。したがって、ただ単に図表が三次元で示されるだけではなく、光によって浮き上がらせて見せることができるので、観者の目に留まりやすく、効果的に説明を進めることができる。
【００２１】
このような構成のプレゼンテーション装置１によれば、展示会や発表会、会議等において画像や図表などを用いて説明を行う際に、場所をとらず、狭いスペースであって容易に設置することができて、利便性の良いものとすることができる。さらに、かかるプレゼンテーション装置１のスクリーン１４では画像を表示し、同時に三次元表示部１１３では図表を立体的に表すことができるので、観者の注意を惹きつけ、説明すべき内容をわかりやすく見せて、理解を得るために大いに役立てることができる。
【００２２】
なお、本発明に係るプレゼンテーション装置１の三次元表示部１１３において示される図表は、スクリーン１４に投影される画像に応じて適宜選択されるものであって、前記画像に関連する図表であればどのようなものでもよく、図４に例示する内容に限定されない。したがって、表示プレート２で示す事柄も、前記のようにグラフ曲線やオブジェクトに限定されず、図表を表示するものであれば、どのようなものも含まれるものとする。
【産業上の利用可能性】
【００２３】
本発明のプレゼンテーション装置は、展示会や発表会、会議等において画像や図表などを用いて説明を行う際に、その内容を観者にわかりやすく示すのに好適に利用することができる。
【図面の簡単な説明】
【００２４】
【図１】本発明に係るプレゼンテーション装置の一例を示す斜視図である。
【図２】本発明に係るプレゼンテーション装置の正面図である。
【図３】本発明に係るプレゼンテーション装置の側面図である。
【図４】前記プレゼンテーション装置の三次元表示部において示す図表の一例である。
【符号の説明】
【００２５】
１      プレゼンテーション装置
１１    キャビネット
１１１  キャスタ
１１２  投写口
１１３  三次元表示部
１１４  プレート設置凹部
１１５  操作部
１２    画像投影手段
１３    反射鏡
１４    スクリーン
１５    支柱
２      表示プレート
２１    ライン表示プレート
２２    オブジェクトプレート
【図１】
2007199367.tif 000003
【図２】
2007199367.tif 000004
【図３】
2007199367.tif 000005
【図４】
2007199367.tif 000006